【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
複数の画像及び複数のサウンドを記憶自在な情報記憶媒体と、
画像を画像表示手段に表示させる表示制御手段と、
前記情報記憶媒体に記憶される画像とサウンドの間のリンクを管理するリンク管理手段と、
前記リンク管理手段を参照し、前記画像表示手段に表示される各画像にサウンドがリンクする場合に、該当する画像と共にリンクするサウンドを有することを示す識別子を表示する表示手段
とを具備することを特徴とする情報管理装置。
【請求項２】
前記表示手段が、画像表示手段の画面上に一覧表示される各画像に複数のサウンドがリンクする場合に、該当する画像に隣接して、リンクする各サウンド毎に対応した識別子を表示する請求項１に記載の情報処理装置。
【請求項３】
サウンド追加手段を更に有し、
当初から画像に付属するサウンドと、前記サウンド追加手段により追加されたサウンドとで、対応する識別子の属性を変更する
請求項１に記載の情報管理装置。
【請求項４】
更に、
前記画像表示手段の表示画面上に表示された任意のオブジェクトを指定するオブジェクト指定手段と、
サウンドの削除を指示するサウンド削除指示手段と、
前記表示制御手段により表示される画像の内の任意の画像を前記オブジェクト指定手段により指定した状態での、前記サウンド削除指示手段の操作に応じて、前記オブジェクト指定手段により指定された画像にリンクするサウンドを削除する削除実行手段
とを具備する請求項１乃至３の何れか１項に記載の情報管理装置。
【請求項５】
更に、
前記画像表示手段の表示画面上に表示された任意のオブジェクトを指定するオブジェクト指定手段と、
サウンドの削除を指示するサウンド削除指示手段と、
前記表示制御手段により表示される識別子の内の任意の識別子を前記オブジェクト指定手段により指定した状態での、前記サウンド削除指示手段の操作に応じて、前記オブジェクト指定手段により指定された識別子に対応するサウンドを削除する削除実行手段
とを具備する請求項１乃至３の何れか１項に記載の情報管理装置。
【請求項６】
更に、サウンドを削除する場合、削除対象のサウンドを再生する再生手段を具備する請求項４又は５に記載の情報管理装置。
【請求項７】
前記削除実行手段は、前記オブジェクト指定手段により指定された画像に複数のサウンドがリンクされている場合、当該複数のサウンドを一括して削除する請求項４に記載の情報管理装置。
【請求項８】
複数の画像及び複数のサウンドを記憶自在な情報記憶媒体の記録される情報を管理する方法であって、
前記情報記憶媒体に記憶される画像を画像表示手段の画面上に画像表示させる表示制御ステップと、
前記情報記憶媒体に記憶される画像とサウンドの間のリンク情報を参照し、前記画像表示手段の画面上に表示される各画像にサウンドがリンクする場合に、該当する画像と共にリンクするサウンドを有することを示す識別子を表示する表示ステップ
とを具備することを特徴とする情報管理方法。
【請求項９】
前記表示ステップが、画像表示手段の画面上に表示される各画像に複数のサウンドがリンクする場合に、該当する画像に隣接して、リンクする各サウンド毎に対応した識別子を表示する請求項８に記載の情報処理方法。
【請求項１０】
サウンド追加ステップを更に有し、
前記表示ステップが、当初から画像に付属するサウンドと、前記サウンド追加手段により追加されたサウンドとで、対応する識別子の属性を変更する請求項８に記載の情報管理方法。
【請求項１１】
更に、
前記画像表示手段の表示画面上に表示された任意のオブジェクトを指定するオブジェクト指定ステップと、
サウンドの削除を指示するサウンド削除指示ステップと、
前記表示制御ステップにより表示される画像の内の任意の画像を前記オブジェクト指定ステップで指定した状態での、前記サウンド削除指示ステップの指示に応じて、前記オブジェクト指定ステップで指定された画像にリンクするサウンドを削除する削除実行ステップ
とを具備する請求項８乃至１０の何れか１項に記載の情報管理方法。
【請求項１２】
更に、
前記画像表示手段の表示画面上に表示された任意のオブジェクトを指定するオブジェクト指定ステップと、
サウンドの削除を指示するサウンド削除指示ステップと、
前記表示制御手段により表示される識別子の内の任意の識別子を前記オブジェクト指定ステップで指定した状態での、前記サウンド削除指示ステップの指示に応じて、前記オブジェクト指定ステップで指定された識別子に対応するサウンドを削除する削除実行ステップ
とを具備する請求項８乃至１０の何れか１項に記載の情報管理方法。
【請求項１３】
更に、サウンドを削除する場合、削除対象のサウンドを再生するステップを具備する請求項１１又は１２に記載の情報管理方法。
【請求項１４】
前記削除実行ステップは、前記オブジェクト指定ステップにより指定された画像に複数のサウンドがリンクされている場合、当該複数のサウンドを一括して削除する請求項１１に記載の情報管理方法。
【請求項１５】
複数の画像及び複数のサウンドを記憶自在な情報記憶媒体の記録される情報を管理する情報管理方法を実行するプログラム・ソフトウエアを記憶する記憶媒体であって、
前記情報管理方法が、
前記情報記憶媒体に記憶される画像を画像表示手段の画面上に画像表示させる表示制御ステップと、
前記情報記憶媒体に記憶される画像とサウンドの間のリンク情報を参照し、前記画像表示手段の画面上に表示される各画像にサウンドがリンクする場合に、該当する画像と共にリンクするサウンドを有することを示す識別子を表示する表示ステップ
とを具備することを特徴とする記憶媒体。
【請求項１６】
前記情報管理方法が更に、
前記画像表示手段の表示画面上に表示された任意のオブジェクトを指定するオブジェクト指定ステップと、
サウンドの削除を指示するサウンド削除指示ステップと、
前記表示制御ステップにより表示される画像の内の任意の画像を前記オブジェクト指定ステップで指定した状態での、前記サウンド削除指示ステップの指示に応じて、前記オブジェクト指定ステップで指定された画像にリンクするサウンドを削除する削除実行ステップ
とを具備する請求項１５に記載の記憶媒体。
【請求項１７】
前記情報管理方法が更に、
前記画像表示手段の表示画面上に表示された任意のオブジェクトを指定するオブジェクト指定ステップと、
サウンドの削除を指示するサウンド削除指示ステップと、
前記表示制御手段により表示される識別子の内の任意の識別子を前記オブジェクト指定ステップで指定した状態での、前記サウンド削除指示ステップの指示に応じて、前記オブジェクト指定ステップで指定された識別子に対応するサウンドを削除する削除実行ステップ
とを具備する請求項１５に記載の記憶媒体。
【請求項１８】
複数の画像及び複数のサウンドを記憶自在な情報記憶手段と、
画像を画像表示手段に表示させる表示制御手段と、
前記情報記憶媒体に記憶される画像とサウンドの間のリンクを管理するリンク管理手段と、
前記リンク管理手段を参照し、前記画像表示手段に表示される各画像にサウンドがリンクする場合に、該当する画像と共にリンクするサウンドを有することを示す識別子を表示する表示手段とを具備することを特徴とする再生装置。
【手続補正２】
【補正対象書類名】明細書
【補正対象項目名】０００８
【補正方法】変更
【補正の内容】
【０００８】
【課題を解決するための手段】
本発明に係る情報管理装置は、複数の画像及び複数のサウンドを記憶自在な情報記憶媒体と、画像を画像表示手段に表示させる表示制御手段と、前記情報記憶媒体に記憶される画像とサウンドの間のリンクを管理するリンク管理手段と、前記リンク管理手段を参照し、前記画像表示手段に表示される各画像にサウンドがリンクする場合に、該当する画像と共にリンクするサウンドを有することを示す識別子を表示する表示手段とを具備することを特徴とする。
【手続補正３】
【補正対象書類名】明細書
【補正対象項目名】０００９
【補正方法】変更
【補正の内容】
【０００９】
本発明に係る情報管理方法は、複数の画像及び複数のサウンドを記憶自在な情報記憶媒体の記録される情報を管理する方法であって、前記情報記憶媒体に記憶される画像を画像表示手段の画面上に画像表示させる表示制御ステップと、前記情報記憶媒体に記憶される画像とサウンドの間のリンク情報を参照し、前記画像表示手段の画面上に表示される各画像にサウンドがリンクする場合に、該当する画像と共にリンクするサウンドを有することを示す識別子を表示する表示ステップとを具備することを特徴とする。
【手続補正４】
【補正対象書類名】明細書
【補正対象項目名】００１０
【補正方法】変更
【補正の内容】
【００１０】
本発明に係る記憶媒体は、複数の画像及び複数のサウンドを記憶自在な情報記憶媒体の記録される情報を管理する情報管理方法を実行するプログラム・ソフトウエアを記憶する記憶媒体であって、前記情報管理方法が、前記情報記憶媒体に記憶される画像を画像表示手段の画面上に画像表示させる表示制御ステップと、前記情報記憶媒体に記憶される画像とサウンドの間のリンク情報を参照し、前記画像表示手段の画面上に表示される各画像にサウンドがリンクする場合に、該当する画像と共にリンクするサウンドを有することを示す識別子を表示する表示ステップとを具備することを特徴とする。
【手続補正５】
【補正対象書類名】明細書
【補正対象項目名】００１１
【補正方法】変更
【補正の内容】
【００１１】
本発明に係る再生装置は、複数の画像及び複数のサウンドを記憶自在な情報記憶手段と、画像を画像表示手段に表示させる表示制御手段と、前記情報記憶媒体に記憶される画像とサウンドの間のリンクを管理するリンク管理手段と、前記リンク管理手段を参照し、前記画像表示手段に表示される各画像にサウンドがリンクする場合に、該当する画像と共にリンクするサウンドを有することを示す識別子を表示する表示手段とを具備することを特徴とする。
【手続補正６】
【補正対象書類名】明細書
【補正対象項目名】００１２
【補正方法】削除
【補正の内容】